(57)【要約】【課題】共用文書を印刷する段階から前記共用文書の印刷物の画像を表す描画データを複数の配信先へ配信する段階までに要する操作を簡素化できること。【解決手段】配信先受信部５１ｈは、ジョブデータＪ０ごとに複数の登録宛先の一部または全部を表す配信先指定データを印刷要求端末８ｘから受信する。描画データ登録部５１ｅは、出力画像を表す描画データを配信先指定データおよびデータ識別情報に対応付けて不揮発性の描画データ記憶部７３に記憶させる処理を、サーバー装置７に実行させる。配信通知送信部５１ｆは、配信許可と判定された前記描画データに対応する前記配信先指定データにより指定される宛先へ、前記サーバー装置７へのアクセス先情報およびデータ識別情報Ｄｘ２を含む配信通知Ｍｓ０を送信する。【選択図】図１
2018137506.tif 000002
【特許請求の範囲】
【請求項１】
複数の端末装置と通信可能でありサーバー装置へデータ伝送可能な画像形成装置であって、
前記複数の端末装置の１つである印刷要求端末から、印刷データと予め定められた配信要求コマンドとを含むジョブデータを受信するジョブ受信部と、
前記複数の端末装置へのデータ送信の宛先を表す複数の登録宛先のデータを含む登録データを予め記憶する不揮発性の登録データ記憶部から、前記登録データを取得する登録データ取得部と、
前記ジョブデータごとに前記複数の登録宛先の一部または全部を表す配信先指定データを前記印刷要求端末から受信する配信先受信部と、
前記印刷データに基づいて出力画像をシートに形成する印刷処理を実行する画像形成部と、
前記出力画像を表す描画データを生成する描画データ生成部と、
前記描画データを前記配信先指定データおよび前記描画データを識別するデータ識別情報に対応付けて不揮発性の描画データ記憶部に記憶させる処理を、前記サーバー装置に実行させる描画データ登録部と、
操作部に対する予め定められた確認操作、または、前記印刷要求端末から受信される予め定められた確認通知に従って、前記ジョブデータに対応する前記描画データの配信許否を判定する配信判定部と、
配信許可と判定された前記描画データに対応する前記配信先指定データにより指定される宛先へ、前記サーバー装置へのアクセス先情報および配信許可と判定された前記描画データを識別する前記データ識別情報を含む配信通知を送信する配信通知送信部と、を備える画像形成装置。
【請求項２】
前記印刷データがページ記述言語で表記されたデータを含み、
前記描画データがＰＤＦデータである、請求項１に記載の画像形成装置。
【請求項３】
前記登録データが、前記複数の登録宛先の一部に対応づけられた１つ以上のグループ名を含み、
前記ジョブデータが、前記印刷要求端末がアクセス可能な不揮発性の端末データ記憶部において前記印刷データの基礎になるデータが保存されていたデータフォルダーの名称を含み、
前記ジョブ受信部が、前記データフォルダーの名称に含まれる前記グループ名と一致する文字列を前記配信先指定データとして前記印刷要求端末から受信する前記配信先受信部を兼ねる、請求項１または請求項２に記載の画像形成装置。
【請求項４】
前記複数の登録宛先の一部または全部の選択肢を表す宛先選択肢データを前記印刷要求端末へ送信する宛先選択肢送信部をさらに備え、
前記配信先指定データが、前記印刷要求端末において前記宛先選択肢データに基づく選択処理によって設定されたデータである、請求項１または請求項２に記載の画像形成装置。
【請求項５】
前記登録データが、前記複数の登録宛先の一部に対応づけられた１つ以上のグループ名を含み、
前記宛先選択肢送信部は、前記グループ名を含む前記宛先選択肢データを送信し、
前記配信先指定データが、前記グループ名を指定するデータである、請求項４に記載の画像形成装置。
【請求項６】
前記データ識別情報および入力認証データを、前記描画データのダウンロード要求として受信するダウンロード要求受信部と、
前記登録データが前記複数の登録宛先に対応付けられた複数の登録認証データを含む状況下において、前記複数の登録認証データにおける特定認証データと前記入力認証データとを照合することにより、前記ダウンロード要求の認証の成否を判定する認証部と、
前記認証が成功した前記ダウンロード要求に対応する前記描画データを、前記ダウンロード要求の送信元へ送信するデータ配信部と、をさらに備え、
前記特定認証データは、前記複数の登録認証データのうち、前記ダウンロード要求受信部により受信された前記データ識別情報に対応する前記配信先指定データに対応するデータであり、
当該画像形成装置が前記サーバー装置を兼ねる、請求項１から請求項５のいずれか１項に記載の画像形成装置。
【請求項７】
対応する前記配信先指定データが表す全ての宛先への送信が完了した前記描画データを前記描画データ記憶部から削除する描画データ削除部をさらに備える、請求項６に記載の画像形成装置。
【発明の詳細な説明】
【技術分野】
【０００１】
本発明は、画像形成装置に関する。
【背景技術】
【０００２】
一般に、画像形成装置は、ドライバープログラムがインストールされた端末装置から印刷データを受信し、前記印刷データに基づく画像をシートに形成する印刷処理を実行する。この場合、前記端末装置は、ユーザーによる印刷開始操作に応じて、予め作成された文書データに基づいて前記印刷データを生成し、さらに前記印刷データを前記画像形成装置へ送信する。
【０００３】
また、前記画像形成装置などのデバイスが、ホスト装置からの要求に応じて、前記デバイスにおいて発生したイベントを前記ホスト装置へ通知することが知られている（例えば、特許文献１参照）。
【先行技術文献】
【特許文献】
【０００４】
【特許文献１】国際公開第２０１３／１１５１８８号
【発明の概要】
【発明が解決しようとする課題】
【０００５】
ところで、文書の作成者は、前記文書に含まれる複数の文書構成要素の内容およびレイアウトを確認するために、前記文書の印刷物を参照したい場合が多い。前記文書構成要素は、例えば文章または図などである。
【０００６】
一方、前記シートの消費量を低減するために、会議資料のように複数のメンバーが参照する必要がある共用文書は、前記複数のメンバーへ電子データとして配信されることが望ましい。この場合、前記電子データが、前記印刷物における出力画像を表すＰＤＦ（Portable Document Format）データなどのように、再現性の高い描画データであることが望ましい。これにより、前記複数のメンバーが使用する端末装置の環境の違いの影響を受けずに、前記出力画像が、前記端末装置においてより忠実に再現される。
【０００７】
しかしながら、前記共用文書の作成者にとって、前記印刷開始操作と、前記文書データを前記描画データへ変換するプログラムを起動する操作と、変換対象の前記文書データを指定する操作と、前記描画データを送信するプログラムを起動する操作と、配信対象とする前記描画データおよび前記複数のメンバーの宛先を指定する操作とを個別に行うことは煩雑である。
【０００８】
本発明の目的は、共用文書を印刷する段階から前記共用文書の印刷物の画像を表す描画データを複数の配信先へ配信する段階までに要する操作を簡素化できる画像形成装置を提供することにある。
【課題を解決するための手段】
【０００９】
本発明の一の局面に係る画像形成装置は、複数の端末装置と通信可能でありサーバー装置へデータ伝送可能な装置である。前記画像形成装置は、ジョブ受信部と、登録データ取得部と、配信先受信部と、画像形成部と、描画データ生成部と、描画データ登録部と、配信判定部と、配信通知送信部と、を備える。前記ジョブ受信部は、前記複数の端末装置の１つである印刷要求端末から、印刷データと予め定められた配信要求コマンドとを含むジョブデータを受信する。前記登録データ取得部は、前記複数の端末装置へのデータ送信の宛先を表す複数の登録宛先のデータを含む登録データを予め記憶する不揮発性の登録データ記憶部から、前記登録データを取得する。前記配信先受信部は、前記ジョブデータごとに前記複数の登録宛先の一部または全部を表す配信先指定データを前記印刷要求端末から受信する。前記画像形成部は、前記印刷データに基づいて出力画像をシートに形成する印刷処理を実行する。前記描画データ生成部は、前記出力画像を表す描画データを生成する。前記描画データ登録部は、前記描画データを前記配信先指定データおよび前記描画データを識別するデータ識別情報に対応付けて不揮発性の描画データ記憶部に記憶させる処理を、前記サーバー装置に実行させる。前記配信判定部は、操作部に対する予め定められた確認操作、または、前記印刷要求端末から受信される予め定められた確認通知に従って、前記ジョブデータに対応する前記描画データの配信許否を判定する。前記配信通知送信部は、配信許可と判定された前記描画データに対応する前記配信先指定データにより指定される宛先へ、前記サーバー装置へのアクセス先情報および配信許可と判定された前記描画データを識別する前記データ識別情報を含む配信通知を送信する。
【発明の効果】
【００１０】
本発明によれば、共用文書を印刷する段階から前記共用文書の印刷物の画像を表す描画データを複数の配信先へ配信する段階までに要する操作を簡素化できる画像形成装置を提供することが可能になる。
【図面の簡単な説明】
【００１１】
【図１】図１は、第１実施形態に係る画像形成装置を含む画像形成システムのブロック図である。
【図２】図２は、画像形成システムに含まれるサーバー装置のブロック図である。
【図３】図３は、画像形成システムに含まれる端末装置のブロック図である。
【図４】図４は、第１実施形態に係る画像形成装置における印刷制御の手順の一例を示すフローチャートである。
【図５】図５は、サーバー装置にけるＰＤＦデータ登録処理の手順の一例を示すフローチャートである。
【図６】図６は、サーバー装置にけるデータ配信処理の手順の一例を示すフローチャートである。
【図７】図７は、第１実施形態に係る画像形成装置の二次記憶部に予め記憶された主登録データの構成の一例を示す図である。
【図８】図８は、第１実施形態に係る画像形成装置の二次記憶部に予め記憶されたグループ登録データの構成の一例を示す図である。
【図９】図９は、第１実施形態に係る画像形成装置が受信する印刷ジョブデータの構成の一例を示す図である。
【図１０】図１０は、第２実施形態に係る画像形成装置のブロック図である。
【図１１】図１１は、第３実施形態に係る画像形成装置のブロック図である。
【発明を実施するための形態】
【００１２】
以下、添付図面を参照しながら、本発明の実施形態について説明する。なお、以下の実施形態は、本発明を具体化した一例であって、本発明の技術的範囲を限定するものではない。
【００１３】
［第１実施形態：画像形成システムの構成］
図１に示されるように、第１実施形態に係る画像形成装置１は、サーバー装置７および複数の端末装置８とともに画像形成システム１０を構成している。
【００１４】
画像形成装置１は、ネットワーク８００を通じてサーバー装置７および複数の端末装置８と通信可能である。従って、画像形成装置１は、ネットワーク８００を通じてサーバー装置７へデータ伝送可能である。
【００１５】
例えば、ネットワーク８００は、ＬＡＮ（Local Area Network）８０１およびインターネット８０２を含む。図１に示される例では、画像形成装置１は、ＬＡＮ８０１を通じて一部の端末装置８と通信可能であり、ＬＡＮ８０１およびインターネット８０２を通じて、サーバー装置７および他の一部の端末装置８と通信可能である。
【００１６】
［画像形成装置１の構成］
画像形成装置１は、端末装置８から印刷ジョブデータＪ０を受信し、印刷ジョブデータＪ０に含まれる印刷データＤｐ０に基づく印刷処理を実行する装置である。前記印刷処理は、印刷データＤｐ０に基づく出力画像をシート９に形成する処理である。例えば、画像形成装置１は、プリンター、複写機、ファクシミリ装置または複合機などである。
【００１７】
図１に示されるように、画像形成装置１は、画像形成部２，二次記憶部３、操作表示部４、制御部５および通信部６などを備える。
【００１８】
操作表示部４は、操作部４ａおよび表示部４ｂを含むユーザーインターフェイスである。例えば、操作部４ａがタッチパネルおよび操作ボタンを含み、表示部４ｂが、液晶パネルなどの表示パネルを含むことが考えられる。
【００１９】
通信部６は、ネットワーク８００を通じてサーバー装置７および端末装置８各々との間でデータの受け渡しを行う通信インターフェイスデバイスである。制御部５は、サーバー装置７および端末装置８各々との間のデータの送信および受信の全てを通信部６を通じて行う。
【００２０】
画像形成部２は、予め定められた方式で前記印刷処理を実行する装置である。例えば、画像形成部２が電子写真方式で前記印刷処理を実行する装置である場合、画像形成部２は、シート搬送機構２ａ、ドラム状の感光体２ｂ、帯電装置２ｃ、レーザースキャニングユニット２ｄ、現像装置２ｅ、転写装置２ｆおよび定着装置２ｇなどを備える。
【００２１】
シート搬送機構２ａは、予め定められた経路に沿ってシート９を搬送する。帯電装置２ｃは、回転する感光体２ｂの表面を帯電させる。レーザースキャニングユニット２ｄは、帯電した感光体２ｂの表面に静電潜像を書き込む。
【００２２】
現像装置２ｅは、感光体２ｂ上の前記静電潜像をトナー像へ現像する。転写装置２ｆは、感光体２ｂ上の前記トナー像をシート９に転写する。定着装置２ｇは、シート９上の前記トナー像を加熱することにより、前記トナー像をシート９に定着させる。
【００２３】
なお、画像形成部２が、インクジェット方式で前記印刷処理を実行する装置であることも考えられる。
【００２４】
二次記憶部３は、コンピューター読み取り可能な不揮発性のデータ記憶装置である。二次記憶部３は、プログラムおよび各種のデータを記憶可能である。例えば、ハードディスクドライブおよびＳＳＤ（Solid State Drive）の一方または両方の組合せが、二次記憶部３として採用されることが考えられる。
【００２５】
制御部５は、各種の演算、データ処理および画像形成装置１が備える各種の電気機器の制御を実行する。制御部５は、バスなどの信号伝送媒体を通じて二次記憶部３へのデータの書き込みおよび二次記憶部３からのデータの読み出しが可能である。さらに、制御部５は、前記信号伝送媒体を通じて通信部６との間でデータおよび制御信号の受け渡しが可能である。
【００２６】
制御部５は、画像形成部２を制御する主制御部５１と、各種の画像処理を実行する画像処理部５２と、操作表示部４を制御するＵＩ（User Interface）制御部５３とを含む。
【００２７】
例えば、制御部５は、予め二次記憶部３などに記憶されたプログラムを実行するＭＰＵ（Micro Processing Unit）またはＤＳＰ（Digital Signal Processor）などのプロセッサーによって実現される。
【００２８】
主制御部５１は、端末装置８から通信部６を通じて印刷ジョブデータＪ０を受信し、その印刷ジョブデータＪ０に含まれる印刷データＤｐ０に基づく前記印刷処理を画像形成部２に実行させる。
【００２９】
本実施形態において、印刷データＤｐ０は、画像処理部５２が対応可能なページ記述言語で表記されたデータを含む。画像処理部５２は、印刷用のラスタデータを生成するラスタライズ部５２ａを含む。
【００３０】
ラスタライズ部５２ａは、前記印刷処理が行われる前に、印刷データＤｐ０において前記ページ記述言語で表記されたデータが表す画像をビットマップ化することによって前記ラスタデータを生成する。
【００３１】
主制御部５１は、前記ラスタデータに基づいてレーザースキャニングユニット２ｄを制御する。これにより、前記ラスタデータに対応する前記静電潜像が、感光体２ｂの表面に書き込まれる。
【００３２】
ＵＩ制御部５３は、表示部４ｂに各種のメニュー画面を表示させ、前記メニュー画面に対応するジョブ指令または入力データを操作部４ａを通じて取得する。
【００３３】
［サーバー装置７］
サーバー装置７は、画像形成装置１から提供されるデータを保存し、保存したデータを、要求に応じて端末装置８へ配信するサーバーコンピューターである。サーバー装置７が、ファイルサーバーまたはストレージサーバーなどと称される場合がある。
【００３４】
図２に示されるように、サーバー装置７は、ＣＰＵ（Central Processing Unit）７１、ＲＡＭ（Random Access Memory）７２、補助記憶部７３および通信部７４などを備える。
【００３５】
ＣＰＵ７１は、予め補助記憶部７３に記憶されたプログラムを実行することにより、各種の演算およびデータ処理を実行するプロセッサーである。ＲＡＭ７２は、ＣＰＵ７１が実行するプログラムを一時記憶するコンピューター読み取り可能な揮発性の主記憶装置である。
【００３６】
補助記憶部７３は、ＣＰＵ７１が参照する各種のデータおよびＣＰＵ７１が実行する各種のプログラムを記憶するコンピューター読取可能な不揮発性の記憶装置である。例えば、補助記憶部７３がハードディスクドライブまたはＳＳＤなどであることが考えられる。
【００３７】
通信部７４は、ネットワーク８００を通じて画像形成装置１およびサーバー装置７との間でデータの受け渡しを行う通信インターフェイスデバイスである。ＣＰＵ８１は、画像形成装置１およびサーバー装置７との間のデータの送信および受信の全てを通信部７４を通じて行う。
【００３８】
例えば、ＣＰＵ７１は、データ登録プログラムＰｒ１１を実行することにより、画像形成装置１から伝送されて来るデータを受信し、受信したデータを補助記憶部７３に記憶させる。
【００３９】
本実施形態において、画像形成装置１からサーバー装置７へ伝送されて来るデータは、ＰＤＦデータＤｘ０を含む。このＰＤＦデータＤｘ０は、画像形成装置１の前記印刷処理によってシート９に形成された前記出力画像を表すデータである。画像形成装置１がＰＤＦデータＤｘ０を生成する。
【００４０】
さらに、ＣＰＵ７１は、データ配信プログラムＰｒ１２を実行することにより、端末装置８からのダウンロード要求に応じて、補助記憶部７３に記憶されているＰＤＦデータＤｘ０を端末装置８へ送信する。
【００４１】
［端末装置８］
端末装置８は、画像形成装置１に前記印刷処理を実行させる。端末装置８は、パーソナルコンピューターまたは携帯型情報端末などの情報処理装置である。
【００４２】
図３に示されるように、端末装置８は、データ処理部８ａ、操作部８ｂおよび表示部８ｃを備える。データ処理部８ａは、ＣＰＵ８１、ＲＡＭ８２、補助記憶部８３および通信部８４などを含む。
【００４３】
操作部８ｂおよび表示部８ｃは、ユーザーインターフェイスデバイスである。例えば、操作部４ａがキーボード、マウスおよびタッチパネルのうちの１つまたは複数を含むことが考えられる。また、表示部８ｃが、液晶パネルなどの表示パネルを含むことが考えられる。
【００４４】
ＣＰＵ８１は、予め補助記憶部８３に記憶されたプログラムを実行することにより、各種の演算およびデータ処理を実行するプロセッサーである。ＲＡＭ８２は、ＣＰＵ８１が実行するプログラムを一時記憶するコンピューター読み取り可能な揮発性の主記憶装置である。
【００４５】
補助記憶部８３は、ＣＰＵ８１が参照する各種のデータおよびＣＰＵ８１が実行する各種のプログラムを記憶するコンピューター読取可能な不揮発性の記憶装置である。例えば、補助記憶部８３がハードディスクドライブまたはＳＳＤなどであることが考えられる。
【００４６】
通信部８４は、ネットワーク８００を通じて画像形成装置１およびサーバー装置７との間でデータの受け渡しを行う通信インターフェイスデバイスである。ＣＰＵ８１は、画像形成装置１およびサーバー装置７との間のデータの送信および受信の全てを通信部８４を通じて行う。
【００４７】
例えば、ＣＰＵ８１は、文書作成プログラムＰｒ２１を実行することにより、文書データＤｄ０の生成および編集を行い、その文書データＤｄ０を補助記憶部８３に記憶させる。例えば、文書作成プログラムＰｒ２１が、ワードプロセッサープログラムまたはデスクトップパブリッシングプログラムなどを含むことも考えられる。
【００４８】
さらに、ＣＰＵ８１は、画像形成装置１の機種に対応するドライバープログラムＰｒ２２を実行することにより、文書データＤｄ０に基づく前記印刷処理を画像形成装置１に実行させる印刷制御を実行可能である。ドライバープログラムＰｒ２２は、例えばプリンタードライバーなどと称される。
【００４９】
ドライバープログラムＰｒ２２を実行するＣＰＵ８１は、ユーザーによる印刷開始操作に応じて、予め作成された文書データＤｄ０に基づいて印刷データＤｐ０を生成し、さらにその印刷データＤｐ０を含む印刷ジョブデータＪ０を画像形成装置１へ送信する。
【００５０】
ところで、文書の作成者は、前記文書に含まれる複数の文書構成要素の内容およびレイアウトを確認するために、前記文書の印刷物を参照したい場合が多い。前記文書構成要素は、例えば文章または図などである。前記印刷物は、画像が形成されたシート９である。
【００５１】
一方、シート９の消費量を低減するために、会議資料のように複数のメンバーが参照する必要がある共用文書は、前記複数のメンバーへ電子データとして配信されることが望ましい。この場合、前記電子データが、前記印刷物における出力画像を表すＰＤＦデータＤｘ０などのように、再現性の高い描画データであることが望ましい。これにより、前記複数のメンバーが使用する端末装置８の環境の違いの影響を受けずに、前記出力画像が、端末装置８においてより忠実に再現される。
【００５２】
しかしながら、前記共用文書の作成者にとって、前記印刷開始操作と、文書データＤｄ０を前記描画データへ変換するプログラムを起動する操作と、変換対象の文書データＤｄ０を指定する操作と、前記描画データを送信するプログラムを起動する操作と、配信対象とする前記描画データおよび前記複数のメンバーの宛先を指定する操作とを個別に行うことは煩雑である。
【００５３】
画像形成装置１は、前記ユーザーの操作の煩雑さを解消するために、後述する印刷−配信制御を実行する。これにより、前記共用文書を印刷する段階から前記共用文書の印刷物の画像を表す前記描画データを複数の配信先へ配信する段階までに要する操作を簡素化できる。
【００５４】
画像形成装置１の二次記憶部３には、予め登録データＤ０が記憶されている。本実施形態において、登録データＤ０は、主登録データＤ１とグループ登録データＤ２とを含む。なお、二次記憶部３は、登録データＤ０を予め記憶する不揮発性の登録データ記憶部の一例である。
【００５５】
図７に示されるように、主登録データＤ１は、複数のユーザー番号Ｄ１０、複数のＥメールアドレスＤ１１、複数のパスワードＤ１２および複数のユーザー名Ｄ１３などを含む。複数のＥメールアドレスＤ１１、複数のパスワードＤ１２および複数のユーザー名Ｄ１３は、複数のユーザー番号Ｄ１０をキーとして対応付けられている。
【００５６】
ユーザー番号Ｄ１０は、複数の端末装置８を操作する複数のユーザー各々の識別番号である。ＥメールアドレスＤ１１は、複数の端末装置８を操作する複数のユーザー各々に対応している。換言すれば、ＥメールアドレスＤ１１は、複数の端末装置８へのデータ送信の宛先を表す。なお、ＥメールアドレスＤ１１は登録宛先のデータの一例である。
【００５７】
また、複数組のＥメールアドレスＤ１１およびパスワードＤ１２は、複数の登録認証データＤ１４を構成している。即ち、ＥメールアドレスＤ１１は、端末装置８へのデータ送信の宛先と、登録認証データＤ１４の一部とを兼ねる。登録認証データＤ１４は、後述するユーザー認証処理に用いられる。複数の登録認証データＤ１４は、複数のＥメールアドレスＤ１１に対応付けられている。
【００５８】
図８に示されるように、グループ登録データＤ２は、１つ以上のグループ名Ｄ２１と、グループ名Ｄ２１に対応付けられたメンバーデータＤ２２とを含む。メンバーデータＤ２２は、複数のユーザー番号Ｄ１０のリストである。グループ名Ｄ２１は、複数のユーザー番号Ｄ１０を介して複数のＥメールアドレスＤ１１に対応付けられている。
【００５９】
グループ名Ｄ２１各々には、全てのユーザー番号Ｄ１０のうちの一部を含むメンバーデータＤ２２が対応付けられている。即ち、グループ登録データＤ２は、全てのＥメールアドレスＤ１１の一部に対応づけられた１つ以上のグループ名Ｄ２１を含む。
【００６０】
主登録データＤ１に含まれる複数のＥメールアドレスＤ１１の一部または全部が、グループ登録データＤ２に含まれるグループ名Ｄ２１によってグループ化されている。
【００６１】
［印刷−配信制御］
以下、図４に示されるフローチャートを参照しつつ、画像形成装置１の制御部５が実行する前記印刷−配信制御の手順の一例について説明する。以下の説明において、Ｓ１０１，Ｓ１０２，…は、前記印刷−配信制御における工程の識別符号を表す。
【００６２】
前記印刷−配信制御は、通信部６が、画像形成装置１から送信された印刷ジョブデータＪ０の到達を検知したときに開始される。
【００６３】
＜工程Ｓ１０１＞
前記印刷−配信制御において、主制御部５１のジョブ受信部５１ａが、複数の端末装置の１つから印刷ジョブデータＪ０を受信する。以下の説明において、画像形成装置１が通信可能な複数の端末装置８のうち、印刷ジョブデータＪ０の送信元のことを印刷要求端末８ｘと称する（図１参照）。
【００６４】
図９に示されるように、本実施形態における印刷ジョブデータＪ０は、印刷データＤｐ０と、要求コマンドＤｃ０と、フォルダデータＤｆ０とを含む。
【００６５】
要求コマンドＤｃ０は、予め定められた通常要求コマンド、または、予めさだめられた配信要求コマンドのいずれか一方である。
【００６６】
前記通常要求コマンドは、画像形成装置１に対し、前記印刷処理の実行のみを要求するコマンドである。前記配信要求コマンドは、画像形成装置１に対し、前記印刷処理および配信準備処理を要求するコマンドである。前記配信準備処理は、後述する工程Ｓ１０３〜Ｓ１０９の処理である。
【００６７】
フォルダデータＤｆ０は、印刷要求端末８ｘがアクセス可能な不揮発性の記憶装置において印刷データＤｐ０の基礎になる文書データＤｄ０が保存されていたデータフォルダーの名称を表すデータである。以下の説明は、印刷データＤｐ０の基礎になる文書データＤｄ０が、印刷要求端末８ｘの補助記憶部８３に記憶されていた場合を想定する。この場合、補助記憶部８３は端末データ記憶部の一例である。
【００６８】
補助記憶部８３は、印刷要求端末８ｘがアクセス可能な不揮発性の記憶装置の一例である。なお、文書データＤｄ０が、印刷要求端末８ｘがネットワーク８００を通じてアクセス可能な記憶装置に保存されることも考えられる。
【００６９】
例えば、フォルダデータＤｆ０が表す前記データフォルダーの名称は、補助記憶部８３において文書データＤｄ０が保存されていたフォルダー位置に応じて、階層構造を有する。図９に示される例において、各階層のフォルダー名が"\"マークを介して連結されている。
【００７０】
＜工程Ｓ１０２＞
次に、主制御部５１の作像制御部５１ｂが、印刷ジョブデータＪ０に含まれる印刷データＤｐ０に基づく前記印刷処理を画像形成部２に実行させる。工程Ｓ１０２の処理により、印刷データＤｐ０に基づく前記出力画像がシート９に形成される。
【００７１】
工程Ｓ１０２において、作像制御部５１ｂは、画像処理部５２のラスタライズ部５２ａに、前記ページ記述言語で表記された印刷データＤｐ０に基づく前記ラスタデータを生成させる。さらに、作像制御部５１ｂは、前記ラスタデータに基づいてレーザースキャニングユニット２ｄを制御し、さらに、帯電装置２ｃ、現像装置２ｅ、転写装置２ｆおよび定着装置２ｇを制御する。
【００７２】
＜工程Ｓ１０３＞
次に、主制御部５１のジョブ解析部５１ｃが、印刷ジョブデータＪ０に含まれる要求コマンドＤｃ０の内容に応じて次の処理を制御する。
【００７３】
即ち、要求コマンドＤｃ０が前記通常要求コマンドである場合、ジョブ解析部５１ｃは、前記印刷−配信制御を終了させる。一方、要求コマンドＤｃ０が前記配信要求コマンドである場合、ジョブ解析部５１ｃは、次の処理を前記配信準備処理（Ｓ１０４〜Ｓ１０９）へ移行させる。
【００７４】
＜工程Ｓ１０４＞
工程Ｓ１０４において、ジョブ解析部５１ｃは、階層構造を有するフォルダデータＤｆ０から、グループ登録データＤ２に含まれるグループ名Ｄ２１と一致する文字列を指定グループ名Ｄｇ０として抽出する（図９参照）。
【００７５】
具体的には、ジョブ解析部５１ｃは、フォルダデータＤｆ０における最下位層フォルダー名から最上位層フォルダー名へ向けて、複数の階層のフォルダー名を順次検索することにより、グループ名Ｄ２１と一致する指定グループ名Ｄｇ０を抽出する。
【００７６】
また、フォルダデータＤｆ０が予め定められた全指定文字列を含む場合、ジョブ解析部５１ｃは、前記全指定文字列を前記指定文字列として抽出する。前記全指定文字列は、主登録データＤ１に含まれる全てのＥメールアドレスＤ１１を宛先とすることを表す。例えば、前記全指定文字列は"ALL#MEMBERS"などである。
【００７７】
工程Ｓ１０４において抽出される指定グループ名Ｄｇ０は、印刷ジョブデータＪ０ごとに登録データＤ０に含まれる複数のＥメールアドレスＤ１１の一部または全部を表す配信先指定データの一例である。
【００７８】
＜工程Ｓ１０５＞
さらに、ジョブ解析部５１ｃは、工程Ｓ１０４で抽出された指定グループ名Ｄｇ０に対応するＥメールアドレスＤ１１を配信先として特定する。
【００７９】
即ち、ジョブ解析部５１ｃは、グループ登録データＤ２において指定グループ名Ｄｇ０と一致するグループ名Ｄ２１に対応付けられた複数のＥメールアドレスＤ１１を前記配信先として特定する。
【００８０】
なお、指定グループ名Ｄｇ０が前記全指定文字列である場合、ジョブ解析部５１ｃは、主登録データＤ１に含まれる全てのＥメールアドレスＤ１１を前記配信先として特定する。
【００８１】
＜工程Ｓ１０６＞
また、前記配信準備処理において、主制御部５１の配信判定部５１ｄが、印刷要求端末８ｘから受信される予め定められた確認通知に従って、印刷ジョブデータＪ０に対応するＰＤＦデータＤｘ０の配信許否を判定する。
【００８２】
例えば、配信判定部５１ｄが、印刷要求端末８ｘに対して印刷ジョブデータＪ０に対応する確認入力要求を送信し、前記確認入力要求に対する応答として前記確認通知を受信することが考えられる。
【００８３】
上記の場合、印刷要求端末８ｘにおいて、ドライバープログラムＰｒ２２を実行するＣＰＵ８１が、通信部８４を通じて前記確認入力要求を受信する。さらに、ＣＰＵ８１は、表示部８ｃにＰＤＦデータＤｘ０の配信を許可するか否かを選択する操作を受け付ける確認画面を出力する。さらに、ＣＰＵ８１は、操作部８ｂに対する選択操作に従ってＰＤＦデータＤｘ０の配信を許可するか否かを選択し、選択結果を表す前記確認通知を画像形成装置１へ送信する。
【００８４】
なお、印刷要求端末８ｘにおいて、ＣＰＵ８１が、前記確認入力要求を受信することなく、表示部８ｃに前記確認画面を出力し、操作部８ｂに対する前記選択操作に対応する前記確認通知を画像形成装置１へ送信することも考えられる。この場合、配信判定部５１ｄは、前記確認入力要求を送信しなくてよい。
【００８５】
配信判定部５１ｄは、ＰＤＦデータＤｘ０について配信許可と判定した場合、処理を次の工程Ｓ１０７へ移行させ、そうでない場合、前記印刷−配信制御を終了させる。
【００８６】
また、ＵＩ制御部５３が、画像形成装置１の操作部４ａに対する予め定められた確認操作に従って、印刷ジョブデータＪ０に対応するＰＤＦデータＤｘ０の配信許否を判定することも考えられる。この場合、ＵＩ制御部５３が、配信判定部５１ｄに相当する。
【００８７】
＜工程Ｓ１０７＞
工程Ｓ１０７において、画像処理部５２のＰＤＦデータ生成部５２ｂが、印刷データＤｐ０により特定される画像、即ち、シート９に形成された前記出力画像を表すＰＤＦデータＤｘ０を生成する。
【００８８】
なお、ＰＤＦデータＤｘ０は前記出力画像を表す描画データの一例である。また、ＰＤＦデータ生成部５２ｂは描画データ生成部の一例である。
【００８９】
＜工程Ｓ１０８＞
続いて、主制御部５１のＰＤＦデータ登録部５１ｅが、ＰＤＦデータ登録処理をサーバー装置７に実行させる。前記ＰＤＦデータ登録処理は、ＰＤＦデータＤｘ０を配信先登録情報Ｄｘ１およびデータ識別情報Ｄｘ２に対応付けて補助記憶部７３に記憶させる処理である。
【００９０】
本実施形態において、補助記憶部７３は、不揮発性の描画データ記憶部の一例である。また、ＰＤＦデータ登録部５１ｅは描画データ登録部の一例である。
【００９１】
配信先登録情報Ｄｘ１は、工程Ｓ１０５で特定された前記配信先と前記配信先に対応するパスワードＤ１２とを含む。従って、配信先登録情報Ｄｘ１は、工程Ｓ１０５で特定された前記配信先に対応する登録認証データＤ１４である。
【００９２】
データ識別情報Ｄｘ２は、ＰＤＦデータＤｘ０を識別する情報である。データ識別情報Ｄｘ２が、ＰＤＦデータＤｘ０の名称である場合、ＰＤＦデータＤｘ０がデータ識別情報Ｄｘ２を含むことになる。
【００９３】
工程Ｓ１０８において、ＰＤＦデータ登録部５１ｅは、工程Ｓ１０７で生成されたＰＤＦデータＤｘ０と、工程Ｓ１０５で特定された前記配信先および前記配信先に対応するパスワードＤ１２とを、サーバー装置７に送信する。
【００９４】
＜工程Ｓ１０９＞
次に、主制御部５１の配信通知送信部５１ｆが、工程Ｓ１０５で特定された前記配信先へ、配信通知Ｍｓ０を送信する。本実施形態において、配信通知送信部５１ｆは、配信通知Ｍｓ０を電子メールとして送信する。配信通知送信部５１ｆは、工程Ｓ１０９の処理の終了後に、前記印刷−配信制御を終了させる。
【００９５】
工程Ｓ１０９の処理が行われる場合、工程Ｓ１０５で特定された前記配信先は、配信許可と判定されたＰＤＦデータＤｘ０に対応する指定グループ名Ｄｇ０により指定されるＥメールアドレスＤ１１である。
【００９６】
配信通知Ｍｓ０は、サーバー装置７へのアクセス先情報および配信許可と判定されたＰＤＦデータＤｘ０を識別するデータ識別情報Ｄｘ２を含む。前記アクセス先情報は、例えば、ネットワーク８００におけるサーバー装置７のＵＲＬ（Uniform Resource Locator）などである。
【００９７】
例えば、配信通知Ｍｓ０が、サーバー装置７のＵＲＬに前記データ識別情報が引数として付加された引数付ＵＲＬを、ハイパーリンクの形式で含むことが考えられる。この場合、端末装置８において、配信通知Ｍｓ０における前記引数付ＵＲＬを指示するワンクリック操作が行われる。端末装置８は、前記ワンクリック操作に応じて、サーバー装置７にアクセスするとともに前記データ識別情報をサーバー装置７に送信する。
【００９８】
また、データ識別情報Ｄｘ２は、例えばＰＤＦデータＤｘ０の名称であることが考えられる。この場合、ＰＤＦデータ生成部５２ｂは、生成したＰＤＦデータＤｘ０に対してユニークな名称を付与する。
【００９９】
また、データ識別情報Ｄｘ２が、ＰＤＦデータＤｘ０ごとに割り振られる識別符号であることも考えられる。この場合、工程Ｓ１０８において、ＰＤＦデータ登録部５１ｅは、ＰＤＦデータＤｘ０とともに前記識別符号もサーバー装置７へ送信する。サーバー装置７は、ＰＤＦデータＤｘ０を前記識別符号に対応付けて補助記憶部７３に記憶させる。
【０１００】
なお、工程Ｓ１０４において、ジョブ解析部５１ｃは、フォルダデータＤｆ０に含まれる文字列と比較するグループ名Ｄ２１を二次記憶部３から取得する。工程Ｓ１０５において、ジョブ解析部５１ｃは、指定グループ名Ｄｇ０と比較するグループ名Ｄ２１およびそのグループ名Ｄ２１に対応するＥメールアドレスＤ１１を二次記憶部３から取得する。工程Ｓ１０８において、ＰＤＦデータ登録部５１ｅが、前記配信先に含まれるＥメールアドレスＤ１１および前記配信先に対応するパスワードＤ１２を二次記憶部３から取得する。
【０１０１】
上記のように、二次記憶部３にアクセスするジョブ解析部５１ｃおよびＰＤＦデータ登録部５１ｅは、二次記憶部３から登録データＤ０を取得する登録データ取得部の一例である。
【０１０２】
［ＰＤＦデータ登録処理］
次に、図５に示されるフローチャートを参照しつつ、サーバー装置７のＣＰＵ７１が実行する前記ＰＤＦデータ登録処理の手順の一例について説明する。
【０１０３】
ＣＰＵ７１は、データ登録プログラムＰｒ１１を実行することにより、前記ＰＤＦデータ登録処理を実現する。
【０１０４】
前記ＰＤＦデータ登録処理は、サーバー装置７の通信部７４が、画像形成装置１から送信されたＰＤＦデータＤｘ０および配信先登録情報Ｄｘ１の到達を検知したときに開始される。以下の説明において、Ｓ２０１，Ｓ２０２，…は、前記ＰＤＦデータ登録処理における工程の識別符号を表す。
【０１０５】
＜工程Ｓ２０１＞
まず、ＣＰＵ７１は、ＰＤＦデータＤｘ０、配信先登録情報Ｄｘ１およびデータ識別情報Ｄｘ２を画像形成装置１から受信する。
【０１０６】
＜工程Ｓ２０２＞
さらに、ＣＰＵ７１は、受信したＰＤＦデータＤｘ０、配信先登録情報Ｄｘ１およびデータ識別情報Ｄｘ２を対応付けて補助記憶部７３に記憶させる。これにより、サーバー装置７は、ＰＤＦデータＤｘ０を端末装置８へ配信可能な状態になる。ＣＰＵ７１は、工程Ｓ２０２の処理の終了後、前記ＰＤＦデータ登録処理を終了させる。
【０１０７】
［データ配信処理］
次に、図６に示されるフローチャートを参照しつつ、サーバー装置７のＣＰＵ７１が実行するデータ配信処理の手順の一例について説明する。
【０１０８】
前記データ配信処理は、端末装置８からの要求に応じて、ＰＤＦデータＤｘ０を端末装置８へ送信する処理である。ＣＰＵ７１は、データ配信プログラムＰｒ１２を実行することにより、前記データ配信処理を実現する。
【０１０９】
前述したように、画像形成装置１は、図４の工程Ｓ１０９の処理によって配信通知Ｍｓ０を端末装置８へ送信する。画像形成装置１から配信通知Ｍｓ０を受信した端末装置８は、操作部８ｂに対するユーザーの操作に従って、ダウンロード要求処理を実行する。
【０１１０】
前記ダウンロード要求処理は、配信通知Ｍｓ０に含まれる前記アクセス先情報に基づいて、ネットワーク８００を通じてサーバー装置７にアクセスし、配信通知Ｍｓ０に含まれるデータ識別情報Ｄｘ２に対応するＰＤＦデータＤｘ０のダウンロードを要求する処理である。
【０１１１】
前記データ配信処理は、サーバー装置７の通信部７４が、端末装置８から前記ダウンロード要求処理によるアクセスを受けたときに開始される。以下の説明において、Ｓ３０１，Ｓ３０２，…は、前記データ配信処理における工程の識別符号を表す。
【０１１２】
＜工程Ｓ３０１＞
まず、サーバー装置７のＣＰＵ７１は、端末装置８からデータ識別情報Ｄｘ２を受信する。データ識別情報Ｄｘ２は、端末装置８が受信した配信通知Ｍｓ０に含まれていた情報である。
【０１１３】
＜工程Ｓ３０２＞
次に、ＣＰＵ７１は、補助記憶部７３に記憶されている配信先登録情報Ｄｘ１を検索し、工程Ｓ３０１で受信したデータ識別情報Ｄｘ２に対応するデータである特定認証データを取得する。
【０１１４】
前記特定認証データは、登録データＤ０に含まれる複数の登録認証データＤ１４のうち、工程Ｓ３０１で受信されたデータ識別情報Ｄｘ２に対応する指定グループ名Ｄｇ０に対応するデータである。
【０１１５】
＜工程Ｓ３０３＞
さらに、ＣＰＵ７１は、ＰＤＦデータＤｘ０をダウンロードする権限を確認するために用いる入力認証データＤｘ３を端末装置８に要求し、端末装置８から入力認証データＤｘ３を受信する。
【０１１６】
本実施形態において、入力認証データＤｘ３は、ＥメールアドレスＤ１１およびパスワードＤ１２を表すデータである。なお、ＣＰＵ７１が、入力認証データＤｘ３におけるＥメールアドレスＤ１１を表すデータを、工程Ｓ３０１においてデータ識別情報Ｄｘ２とともに受信することも考えられる。
【０１１７】
＜工程Ｓ３０４＞
次に、ＣＰＵ７１は、ユーザー認証処理を実行する。前記ユーザー認証処理は、工程Ｓ３０２で得られた前記特定認証データと工程Ｓ３０３で得られた入力認証データＤｘ３とを照合することにより、前記ダウンロード要求の認証の成否を判定する処理である。
【０１１８】
ＣＰＵ７１は、前記ダウンロード要求の認証に成功した場合、処理を工程Ｓ３０５へ移行させ、認証に失敗した場合、処理を工程Ｓ３０８へ移行させる。
【０１１９】
＜工程Ｓ３０５＞
前記ユーザー認証処理が成功した場合、ＣＰＵ７１は、前記ダウンロード要求に対応するＰＤＦデータＤｘ０を、前記ダウンロード要求の送信元へ送信する。
【０１２０】
なお、前記ダウンロード要求に対応するＰＤＦデータＤｘ０は、工程Ｓ３０１で得られたデータ識別情報Ｄｘ２に対応するＰＤＦデータＤｘ０である。
【０１２１】
＜工程Ｓ３０６＞
さらに、ＣＰＵ７１は、ＰＤＦデータＤｘ０の送信履歴Ｄｘ４を補助記憶部７３に記録する（図２参照）。送信履歴Ｄｘ４は、ＰＤＦデータＤｘ０各々がいずれの宛先に送信されたかの実績を表す。
【０１２２】
＜工程Ｓ３０７＞
さらに、ＣＰＵ７１は、補助記憶部７３に記憶されたＰＤＦデータＤｘ０のうちの配信完了データを削除する。ＣＰＵ７１は、工程Ｓ３０７の処理の終了後に、前記データ配信処理を終了させる。なお、工程Ｓ３０７の処理を実行するＣＰＵ７１は、描画データ削除部の一例である。
【０１２３】
前記配信完了データは、補助記憶部７３に記憶されたＰＤＦデータＤｘ０のうち、対応する配信先登録情報Ｄｘ１が表す全ての宛先への送信が完了したデータである。配信先登録情報Ｄｘ１が表す宛先は、指定グループ名Ｄｇ０が表す宛先であり、即ち、前記配信先指定データが宛先である。
【０１２４】
ＣＰＵ７１は、送信履歴Ｄｘ４に基づいて、補助記憶部７３に記憶されたＰＤＦデータＤｘ０がそれぞれ前記配信完了データであるか否かを判定する。
【０１２５】
＜工程Ｓ３０８＞
一方、ＣＰＵ７１は、工程Ｓ３０４において前記ダウンロード要求の認証に失敗した場合、予め定められたエラー通知を前記ダウンロード要求の要求元へ送信した上で、処理を工程Ｓ３０３へ移行させる。
【０１２６】
なお、前記ダウンロード要求の認証の失敗回数が予め定められた上限回数を超えた場合、ＣＰＵ７１は、前記データ配信処理を終了させる。
【０１２７】
画像形成装置１が採用されれば、複数のメンバーが参照する必要がある共用文書などに関し、文書データＤｄ０を印刷する段階から文書データＤｄ０の印刷物の画像を表すＰＤＦデータＤｘ０を複数の配信先へ配信する段階までに要する操作を簡素化できる。
【０１２８】
また、印刷ジョブデータＪ０が、印刷要求端末８ｘの補助記憶部８３において文書データＤｄ０が保存されていたデータフォルダーの名称であるフォルダデータＤｆ０を含む。そして、画像形成装置１のジョブ解析部５１ｃが、グループ登録データＤ２に含まれるグループ名Ｄ２１と一致する文字列を指定グループ名Ｄｇ０として抽出する。
【０１２９】
本実施形態において、画像形成装置１のジョブ受信部５１ａは、フォルダデータＤｆ０に含まれる指定グループ名Ｄｇ０を前記配信先指定データとして印刷要求端末８ｘから受信する配信先受信部を兼ねる。
【０１３０】
一般に、印刷要求端末８ｘで動作する文書作成プログラムＰｒ２１の機能により、印刷対象の文書データＤｄ０を選択する操作が、フォルダデータＤｆ０を入力する操作を兼ねる。従って、文書データＤｄ０が保存されるデータフォルダーの名称が、グループ登録データＤ２のグループ名Ｄ２１を表す名称に設定されていれば、指定グループ名Ｄｇ０を入力する操作が不要となる。
【０１３１】
さらに、本実施形態において、画像形成装置１は、図５に示される前記データ配信処理を実行する機能を備える必要がない。そのため、画像形成装置１は、比較的簡素な構成によって実現される。
【０１３２】
［第２実施形態：画像形成装置１Ａ］
次に、図１０を参照しつつ、第２実施形態に係る画像形成装置１Ａについて説明する。以下、画像形成装置１Ａにおける画像形成装置１と異なる点について説明する。
【０１３３】
画像形成装置１Ａは、画像形成装置１に主制御部５１の宛先選択肢送信部５１ｇおよび配信先受信部５１ｈが追加された構成を備える。
【０１３４】
宛先選択肢送信部５１ｇおよび配信先受信部５１ｈは、例えば図４における工程Ｓ１０４の処理の代わりに、それぞれ宛先選択肢送信処理および配信先受信処理を実行する。
【０１３５】
前記宛先選択肢送信処理は、登録データＤ０に含まれる複数のＥメールアドレスＤ１１または１つ以上のグループ名Ｄ２１の一部または全部の選択肢を表す宛先選択肢データを印刷要求端末８ｘへ送信する処理である。
【０１３６】
例えば、宛先選択肢送信部５１ｇは、前記宛先選択肢データを含む選択メニュー画面のデータを印刷要求端末８ｘへ送信する。印刷要求端末８ｘは、前記選択メニュー画面に対応する操作部８ｂへの操作に従って、前記配信先指定データを設定する。
【０１３７】
即ち、本実施形態において、前記配信先指定データは、印刷要求端末８ｘにおいて前記宛先選択肢データに基づく選択処理によって設定されたデータである。宛先選択肢送信部５１ｇが、グループ名Ｄ２１の一部または全部の選択肢を表す前記宛先選択肢データを送信する場合、前記配信先指定データは、グループ名Ｄ２１を指定するデータである。
【０１３８】
前記配信先受信処理は、印刷ジョブデータＪ０ごとに前記配信先指定データを印刷要求端末８ｘから受信する処理である。前記配信先指定データは、複数のＥメールアドレスＤ１１またはグループ名Ｄ２１の一部または全部を表すデータである。本実施形態において、前記配信先指定データは、前記宛先選択肢データを受信した印刷要求端末８ｘから返信される。
【０１３９】
画像形成装置１Ａが採用される場合、図４の工程Ｓ１０５において、配信先受信部５１ｈが、前記配信先受信処理によって得られる前記配信先指定データに対応するＥメールアドレスＤ１１を配信先として特定する。
【０１４０】
画像形成装置１Ａが採用される場合も、画像形成装置１が採用される場合と同様の効果が得られる。
【０１４１】
［第３実施形態：画像形成装置１Ｂ］
次に、図１１を参照しつつ、第３実施形態に係る画像形成装置１Ｂについて説明する。以下、画像形成装置１Ｂにおける画像形成装置１と異なる点について説明する。
【０１４２】
画像形成装置１Ｂは、画像形成装置１に主制御部５１のダウンロード要求受信部５１ｐ、認証部５１ｑ、データ配信部５１ｒおよびＰＤＦデータ削除部５１ｓが追加された構成を備える。
【０１４３】
本実施形態において、ダウンロード要求受信部５１ｐ、認証部５１ｑ、データ配信部５１ｒおよびＰＤＦデータ削除部５１ｓが、図６における工程Ｓ３０１〜Ｓ３０８の処理を実行する。これにより、画像形成装置１Ｂが、サーバー装置７を兼ねる。
【０１４４】
画像形成装置１ＢのＰＤＦデータ登録部５１ｅは、図４の工程Ｓ１０８において、ＰＤＦデータＤｘ０を配信先登録情報Ｄｘ１およびデータ識別情報Ｄｘ２に対応付けて二次記憶部３に記憶させる。
【０１４５】
また、画像形成装置１Ｂの配信通知送信部５１ｆは、図４の工程Ｓ１０９において、サーバー装置７へのアクセス先情報の代わりに、画像形成装置１Ｂへのアクセス先情報を含む配信通知Ｍｓ０を送信する。
【０１４６】
さらに、ダウンロード要求受信部５１ｐは、図６の工程Ｓ３０１，Ｓ３０３の処理を実行する。さらに、認証部５１ｑは、図６の工程Ｓ３０２，Ｓ３０４およびＳ３０８の処理を実行する。さらに、データ配信部５１ｒは、図６の工程Ｓ３０５の処理を実行する。さらに、ＰＤＦデータ削除部５１ｓが、図６の工程Ｓ３０６，Ｓ３０７の処理を実行する。
【０１４７】
画像形成装置１Ｂが採用される場合も、画像形成装置１が採用される場合と同様に、文書データＤｄ０を印刷する段階からＰＤＦデータＤｘ０を配信する段階までに要する操作を簡素化できる。
【０１４８】
[応用例]
以上に示された画像形成装置１，１Ａ，１Ｂにおいて、登録データＤ０が、端末装置８がネットワーク８００を通じてアクセス可能な記憶装置に記憶されていることも考えられる。
【０１４９】
なお、本発明に係る画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１５０】
１，１Ａ，１Ｂ：画像形成装置
２        ：画像形成部
２ａ      ：シート搬送機構
２ｂ      ：感光体
２ｃ      ：帯電装置
２ｄ      ：レーザースキャニングユニット
２ｅ      ：現像装置
２ｆ      ：転写装置
２ｇ      ：定着装置
３        ：二次記憶部
４        ：操作表示部
４ａ      ：操作部
４ｂ      ：表示部
５        ：制御部
６        ：通信部
７        ：サーバー装置
８        ：端末装置
８ａ      ：データ処理部
８ｂ      ：操作部
８ｃ      ：表示部
８ｘ      ：印刷要求端末
９        ：シート
１０      ：画像形成システム
５１      ：主制御部
５１ａ    ：ジョブ受信部
５１ｂ    ：作像制御部
５１ｃ    ：ジョブ解析部
５１ｄ    ：配信判定部
５１ｅ    ：ＰＤＦデータ登録部（描画データ登録部）
５１ｆ    ：配信通知送信部
５１ｇ    ：宛先選択肢送信部
５１ｈ    ：配信先受信部
５１ｐ    ：ダウンロード要求受信部
５１ｑ    ：認証部
５１ｒ    ：データ配信部
５１ｓ    ：ＰＤＦデータ削除部（描画データ削除部）
５２      ：画像処理部
５２ａ    ：ラスタライズ部
５２ｂ    ：ＰＤＦデータ生成部（描画データ生成部）
５３      ：ＵＩ制御部
７１      ：ＣＰＵ
７２      ：ＲＡＭ
７３      ：補助記憶部
７４      ：通信部
８１      ：ＣＰＵ
８２      ：ＲＡＭ
８３      ：補助記憶部
８４      ：通信部
８００    ：ネットワーク
８０１    ：ＬＡＮ
８０２    ：インターネット
Ｄ０      ：登録データ
Ｄ１      ：主登録データ
Ｄ１０    ：ユーザー番号
Ｄ１１    ：Ｅメールアドレス
Ｄ１２    ：パスワード
Ｄ１３    ：ユーザー名
Ｄ１４    ：登録認証データ
Ｄ２      ：グループ登録データ
Ｄ２１    ：グループ名
Ｄ２２    ：メンバーデータ
Ｄｃ０    ：要求コマンド
Ｄｄ０    ：文書データ
Ｄｆ０    ：フォルダデータ
Ｄｇ０    ：指定グループ名
Ｄｐ０    ：印刷データ
Ｄｘ０    ：ＰＤＦデータ（描画データ）
Ｄｘ１    ：配信先登録情報
Ｄｘ２    ：データ識別情報
Ｄｘ３    ：入力認証データ
Ｄｘ４    ：送信履歴
Ｊ０      ：印刷ジョブデータ
Ｍｓ０    ：配信通知
Ｐｒ１１  ：データ登録プログラム
Ｐｒ１２  ：データ配信プログラム
Ｐｒ２１  ：文書作成プログラム
Ｐｒ２２  ：ドライバープログラム
【図１】
2018137506.tif 000003
【図２】
2018137506.tif 000004
【図３】
2018137506.tif 000005
【図４】
2018137506.tif 000006
【図５】
2018137506.tif 000007
【図６】
2018137506.tif 000008
【図７】
2018137506.tif 000009
【図８】
2018137506.tif 000010
【図９】
2018137506.tif 000011
【図１０】
2018137506.tif 000012
【図１１】
2018137506.tif 000013